(57)【要約】      （修正有）【課題】パソコン等をセロテープ（登録商標）等の貼り跡で汚すことなく、付箋のように取れて滅失することなく、注意喚起し忘却防止・失念防止することが可能な表示装置を提供する。【解決手段】色別針金製で、フック部１にて引っ掛けて着脱容易にし、貼る剥がす手間なく、例えばパソコン画面ならＯＦＦの画面の黒色に、針金で白色乃至黄色で作成し識別性を高め、また針金による絵文字による表示で、日本語の漢字、複雑で表現が難しい場合は平仮名や片仮名での代筆で通用するもの、乃至英語標記で、日本語や英語を解さない非英語圏の職場環境を踏まえ、簡単な図柄４を添え、これで視認性、注意喚起度を高めた、注意喚起の表示部２を有する。【選択図】図１
2014182363.tif 000002
【特許請求の範囲】
【請求項１】
パソコン画面や地上デジタルテレビ画面、他電気製品他等や、湯船・洗面所・蛇口・台所シンク等、フック等で表示する表示
【請求項２】
さらに、針金でできた請求項１の表示
【請求項３】
さらに、適宜フック部等をゴム管等で滑り止めした請求項１の表示
【請求項４】
さらに、表示は横長だけでなく、縦長等他形状をも含む請求項１の表示
【請求項５】
さらに、色で識別する請求項１の表示
【請求項５】
さらに、職場や家庭等での良くある定番的な注意喚起や意識高揚のスローガン等、忘却防止事項等を表示する請求項１の表示。
【請求項６】
さらに、図柄等を添えて又は単独で、文字のみ又は文字と併記し表示する請求項１表示。
【請求項７】
さらに、添える図柄等は、平面のみならず可能なら立体でも表現し得る請求項１の表示
【請求項８】
さらに、フックは、掛け方は単に上下に鍵型に掛けるのみならず、パソコン等引っ掛ける物体と表示の縦横の寸法に応じ、適宜斜め襷掛け状等、またフックの形状は鍵型だけでなく、波型等、また水道の蛇口に１点吊り等、針金で加工可能なフックで引っ掛ける請求項１の表示。
さらに、図では、文字が意味するのを明らかにする為、大きめに表現したが、ノート型パソコンの画面の縁程度前後、水道の蛇口等程度大小の寸法をも含む請求項１の表示。
【発明の詳細な説明】
【技術分野】
【０００１】  本発明は、文字、絵柄等でフックで掛ける針金による職場等でよくある注意喚起等表示に関するものである。
【技術背景】
【０００２】  先に、私は文字、絵柄等によるパソコン画面にフックで掛ける針金による行き先等表示を出願した。
【０００３】  これは、技術背景として、パソコンの操作する机にて、離籍する際、パソコンの画面が点いているかどうかが、本人が在室しているかどうかの判断の為の対象となることがある。出退勤表示や会議等スケジュール管理のソフトウェアも市販されている。当然、これらはパソコンの電源が入っているときのみパソコンで閲覧・書き込み・修正等使用可能であるが、電源が入っていなければ使用できない。
【０００４】  そこで、パソコン画面に針金でフックにて引っ掛けて着脱容易にし、貼る剥がす手間をなくし、所在を表示する表示があれば、職場でも在宅でも有効ではないかと考えた。針金は軽く錆びにくいだけでなく、パソコン画面が電源ＯＮのときは明るく針金の色を白以外で作成すればよく、パソコン画面がＯＦＦのときは画面は黒色であり、針金を白色で作成すれば識別性を高められる。離席する用事で、典型的な用件「会議中」「帰宅」「昼食」「出張」の表示が、その人が在席するか離席しているか、不在かよく視線が行くパソコン画面に表示があれば、その識別がより容易に行われるのではないかと考えた。そしてその表示は、針金による絵文字によるもので、日本語の漢字、複雑で表現が難しい場合は平仮名や片仮名での代筆で通用するもの、乃至英語標記であった。
【０００５】  これに、現代日本の職場や家庭環境を鑑みるに、日本語や英語を解さない非英語圏からの外国人が珍しくなくなった事情を踏まえれば、簡単な図柄を添えれば尚理解されやすいだろうということに気が付いた。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表にいれることが憚れる予想の付かない行動で、それでいて黙ってトイレ等にに離席するのも逆に気兼ねする悩ましい行動も、本発明をさりげなくパソコンに引っ掛けて離席することで、気軽にすることが出来る職場や在宅のリラックス環境を提供することが可能となる。
【０００６】  さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用ではないかと考えた。
また、単に職場の注意喚起のみならず、もっと広く日常生活での注意喚起にも有用ではないかと考えた。例えば、お風呂場での湯船の縁に「タオルを入れるな」蛇口に「節水」「蛇口をしっかりひねろ」、洗面所での水槽の上の水洗いスペース「水をたらすな」「手を拭け」「手を洗え」「節水」、お手洗いでの「トイレットペーパーを節約しろ」「節水」、台所でも「水をたらすな」「皿を乾かせ」「節水」「蛇口をしっかりひねろ」等という注意喚起表示、また待機状態にある家庭電化製品については「節電」、エアコンなら「設定温度は２８度」、暖房なら「設定温度は２２度」、他に「戸締り用心」「火の元確認」等を、携帯電話なら「充電中」等を、場所としてはお風呂場なら湯船の縁でフックで、洗面所なら蛇口か鏡にフックで、トイレなら水槽の脇にフックかトイレットペーパースタンドにフックで、台所なら蛇口かシンク台の脇に、エアコンならエアコン接地場所のカーテンレール等に、携帯電話なら充電器にコンパクトな表示を掲示するのも有用ではないかと考えた。軽く、耐水性等がある針金による表示ならではの場所である。
職場や家庭のホワイトボード上の掲示としても、「○月○日歓迎会」等共通の予定等を白地に黒針金による表示が有用と考えられる。
【０００７】  注意喚起は、「システムダウン」「メールをチェックしろ」「サーバーメインテナンス中」「ＬＡＮメインテナンス中」「ウイルスチェック中」「待機状態」「ウィルスに感染した」のみならず、「禁煙」「飲食禁止」「携帯禁止」等職場関連、震災関連で意識昂揚のスローガン的な「頑張れ福島」等などがあり得る。昨年夏の原発停止で顕著であった「節電」「節水」、既にダウンロード可能なソフトやスクリーンセーバー等パソコンの電源がＯＮならば表示可能だが、節電だから電源ＯＦＦなら当然閲覧不可である。
また、プレートやシール、ポスター等が市販されてはいるものの、就業時間や在宅時間の余暇で今や大半の時間を面と向かって費やすことが珍しくなくなっているパソコン画面だが、付箋等もいえることだが、元来貼ったり掲げたりするためのスペースがモニターであるが故に、非常に限られている。
そこで、特に電源ＯＦＦ時の消灯した状態の黒画面と針金の白や黄色といった識別性・認識性が、電源ＯＦＦ後のパンコン画面が、掲示板・クリップボードのような背景で針金の注意喚起が有用ではないか、スペース的にも勿体ない貴重なスペースであると考えた。
【０００８】  その表示は、必ずしもパソコンだけでなく、また画面のみにとらわれない。
待機電源を切ることが推奨される地上デジタルテレビなども今や大半の時間を面と向かって費やすことが珍しくなくなっている画面ひとつであり、また電源ＯＦＦ時の地上デジタルテレビの画面のみならず、画面の上部の縁部分は貴重な周知や注意喚起のスペースと生り得る。且つ、パソコンに限らずこのテレビも、昔の画面と違い、大型で且つ平面、黒色であり、大抵はその居住者の生活の中心的な場所に位置するものである。この画面スペースや位置の良さを、一層生かすことにもなる。また、テレビだけが待機電源がある訳ではなく、他ＯＡ機器や電子レンジ等の家庭電化製品等でも良い。
職場、家庭、パソコンや地上デジタルテレビの画面等の平らな画面のみならず、表示があれば有用と考えられる家電、また風呂場の湯船や蛇口、洗面所、トイレ等所謂水周り、またホワイトボード等の掲示としても使えそうである。
【０００９】  また、注意喚起とは、「システムダウン」「サーバーメインテナンス中」「ウィルス警報」「ＬＡＮ  メインテナンス中」「ウイルスチェック中」等パソコン環境関係、「禁煙」「飲食禁止」「携帯禁止」等職場関連、「禁煙」「飲食禁止」等職場関連、「頑張れ福島」等震災関係だけではなく、「ＦＬＥＸ  ＴＩＭＥ」「時差」「早番」「遅番」等週代わり・月替わりで行われる各職場共通の定番化した職場業務行為、忘却防止のリマインダーとして、パソコンの画面の上等に、表示内容によっては画面がＯＮの状態で使用しても画面上部等縁部分では良いと思われる。同様に、「外勤」「半休」「時間休」「早退」「遅刻」等の１日に満たない各職場共通の定番の有給休暇や、「〆切ＰＭ７：００」「ＮＯ  ＭＹ―ＣＡＲ  ＤＡＹ」等ある程度定まった業務行為の忘却防止メモとして、また「ドック  ３／１７」「ＴＯＥＩＣ  ４／１４」等よくある個人的事項の予約忘却防止メモも有用と考えられる。付箋やセロテープ等でパソコン画面の横や上の縁部分に留めたこれらは、１週間や１ヶ月のうちに取れてしまうこともあるが、針金の表示なら、視認性・認識性、またセロテープ等の粘着物が長時間貼ってあったことによる汚れ、またパソコン等がリース製品であってリース期間が切れて業者に返却する場合の画面にセロテープを長時間貼ってあったことによる汚れを清掃する手間も発生しない。通常の職場勤務者が出会う職場上乃至家庭上の注意喚起や忘却防止等を要する事項を、通常職場で対面する時間の最も多いパソコン画面だけでなく、節電やトラッキング火災防止の為に待機電源を切ることに注意を要する家電製品や、入浴時にタオルを入れない等といったうっかりミスを防ぐ使用上の注意を要する事、余震多し注意といった自然災害等生命を脅かす恐れのある事を、ある程度類型化し注意喚起の表示にすれば、有用と考えられる。
【００１０】  よくある注意喚起として上記だけでなく、「避難訓練」「戸締り」「施錠」「消灯」「照明を消せ」「電源を切れ」「トラッキング火災注意」等職場安全関係、「余震注意」「地震時避難」「津波、高台へ」等今後の自然災害、パソコン画面だけでなく生活上「節電」を要する待機電源を控えるべき他電気製品、地上デジタルテレビの電源ＯＦＦ時の画面や電子レンジ、冷蔵庫等の扉部分等フックにて引っ掛けることが可能な部分で有用と考えられる。電気製品の注意喚起だけでなく、例えば風呂場では、湯船の色は白なら針金は黒に、木製なら針金は白に対比色として、「タオルを入れるな」「タオルご遠慮下さい」、洗面所なら「水をたらすな」「手を拭け」「節水」「蛇口をしっかりひねろ」、お手洗いでなら「トイレットペーパーを節約しろ」「節水」、台所なら「水をたらすな」「皿を乾かせ」「節水」「蛇口をしっかりひねろ」等耐水・耐湿性のある針金表示も可能であり、場所を選ばず有用と考えられる。また、フックも、単に単純な釣り針式のフック部だけでなく、地上デジタルテレビのモニター画面部の裏側のように、溝にあわせた波型のフック部が有効であることがあり、水道の蛇口なら２点吊りでなく１点吊りのフックと表示が考えられる。引っ掛けるものによって臨機応変にフック部を修正できるのも、針金が有利である点のひとつと考えられる。
【発明が解決しようとする課題】
【００１１】  パソコン画面で表示すべきは、そのパソコン使用者の在不在だけでなく、職場等でよくある「システムダウン」「サーバーメインテナンス中」「ＬＡＮメインテナンス中」「ウイルスチェック中」「頑張れ福島」とういった注意喚起も、絵柄、絵文字又は両記併用で有用ではないかと考えた。
【００１２】  注意喚起は、「システムダウン」「メールをチェックしろ」「ウィルス警報」「サーバーメインテナンス中」「ＬＡＮメインテナンス中」「ウイルスチェック中」「待機状態」「ウィルスに感染した」のみならず、「禁煙」「飲食禁止」「携帯禁止」等職場関連、震災関連で意識昂揚のスローガン的な「頑張れ福島」等などがあり得る。昨年夏の原発停止で顕著であった「節電」「節水」、既にダウンロード可能なソフトやスクリーンセーバー等パソコンの電源がＯＮならば表示可能だが、節電だから電源ＯＦＦなら当然閲覧不可である。
また、プレートやシール、ポスター等が市販されてはいるものの、就業時間や在宅時間の余暇で今や大半の時間を面と向かって費やすことが珍しくなくなっているパソコン画面だが、付箋等もいえることだが、元来貼ったり掲げたりするためのスペースがモニターであるが故に、非常に限られている。
そこで、特に電源ＯＦＦ時の消灯した状態の黒画面と針金の白や黄色といった識別性・認識性が、電源ＯＦＦ後のパソコン画面が、掲示板・クリップボードのような背景で針金の注意喚起が有用ではないか、スペース的にも勿体ない貴重なスペースであると考えた。
【００１３】  その表示は、必ずしもパソコンだけでなく、また画面のみにとらわれない。
待機電源を切ることが推奨される地上デジタルテレビなども今や大半の時間を面と向かって費やすことが珍しくなくなっている画面ひとつであり、また電源ＯＦＦ時の地上デジタルテレビの画面のみならず、画面の上部の縁部分は貴重な周知や注意喚起のスペースと生り得る。且つ、パソコンに限らずこのテレビも、昔の画面と違い、大型で且つ平面、黒色であり、大抵はその居住者の生活の中心的な場所に位置するものである。この画面スペースや位置の良さを、一層生かすことにもなる。また、テレビだけが待機電源があるだけではなく、他ＯＡ機器や電子レンジ等の家庭電化製品等でも良い。
【００１４】  注意喚起は、「システムダウン」「サーバーメインテナンス中」「ＬＡＮメインテナンス中」「ウイルスチェック中」「ウィルスメールを削除」「待機状態」「ウィルスに感染した」のみならず、「禁煙」「飲食禁止」「携帯禁止」等職場関連、震災関連で意識昂揚のスローガン的な「頑張れ福島」等などがあり得る。昨年夏の原発停止で顕著であった「節電」「節水」、既にダウンロード可能なソフトやスクリーンセーバー等パソコンの電源がＯＮならば表示可能だが、節電だから電源ＯＦＦなら当然閲覧不可である。また、プレートやシール、ポスター等が市販されてはいるものの、就業時間や在宅時間の余暇で今や大半の時間を面と向かって費やすことが珍しくなくなっているパソコン画面だが、付箋等もいえることだが、元来貼ったり掲げたりするためのスペースがモニターであるが故に、非常に限られている。そこで、特に電源ＯＦＦ時の消灯した状態の黒画面と針金の白や黄色といった識別性・認識性が、電源ＯＦＦ後のパソコン画面が、掲示板・クリップボードのような背景で針金の注意喚起が有用ではないか、スペース的にも勿体ない貴重なスペースであると考えた。
【００１５】  よくある注意喚起として上記だけでなく、「戸締り」「施錠」「消灯」「照明を消せ」「電源を切れ」「トラッキング火災注意」等職場安全関係、「余震注意」「地震時避難」「津波、高台へ」等自然災、パソコン画面だけでなく生活上「節電」を要する待機電源を控えるべき他電気製品、地上デジタルテレビの電源ＯＦＦ時の画面や電子レンジ、冷蔵庫等の扉部分等フックにて引っ掛けることが可能な部分で有用と考えられる。電気製品の注意喚起だけでなく、例えば風呂場では、湯船の色は白なら針金は黒に、木製なら針金は白に対比色として、「タオルを入れるな」「タオルご遠慮下さい」、洗面所なら「水をたらすな」「手を拭け」「節水」「蛇口をしっかりひねろ」、お手洗いでなら「トイレットペーパーを節約しろ」「節水」「蛇口をしっかりひねろ」等耐水・耐湿性のある針金表示も可能であり、場所を選ばず有用と考えられる。また、フックも、単に単純な釣り針式のフック部だけでなく、地上デジタルテレビのモニター画面部の裏側のように、溝にあわせた波型のフック部が有効であることがあり、水道の蛇口なら２点吊りでなく１点吊りのフックと表示が考えられる。引っ掛けるものによって臨機応変にフック部を修正できるのも、針金が有利である点のひとつと考えられる。
【課題を解決するための手段】
【００１６】  その表示は、必ずしもパソコンだけでなく、また画面のみにとらわれない。
待機電源を切ることが推奨される地上デジタルテレビなども今や大半の時間を面と向かって費やすことが珍しくなくなっている画面ひとつであり、また電源ＯＦＦ時の地上デジタルテレビの画面のみならず、画面の上部の縁部分は貴重な周知や注意喚起のスペースと生り得る。且つ、パソコンに限らずこのテレビも、昔の画面と違い、大型で且つ平面、黒色であり、大抵はその居住者の生活の中心的な場所に位置するものである。この画面スペースや位置の良さを、一層生かすことにもなる。また、テレビだけが待機電源があるだけではなく、他ＯＡ機器や電子レンジ等の家庭電化製品等でも良い。
【００１７】  また、注意喚起は、「システムダウン」「サーバーメインテナンス中」「ウィルス警報」「ＬＡＮメインテナンス中」「ウイルスチェック中」のみならず、「禁煙」「飲食禁止」「携帯禁止」等職場関連、震災関連で意識昂揚のスローガン的な「頑張れ福島」等などがあり得る。それだけではなく、「ＦＬＥＸ  ＴＩＭＥ」「時差」「早番」「遅番」等週代わり・月替わりで行われる各職場共通の定番の職場業務行為、忘却防止のリマインダーとして、パソコンの画面の上等に、画面がＯＮの状態で使用しても良いと思われる。同様に、「外勤」「半休」「時間休」「早退」「遅刻」等の１日に満たない各職場共通の定番の有給休暇や、「〆切ＰＭ７：００」「ＮＯ  ＭＹ―ＣＡＲ  ＤＡＹ」等ホームページのＦＡＱのような定番のパソコン操作上の忘却防止メモとして、また「ドック  ３／１７」「ＴＯＥＩＣ  ４／１４」等良くある予約忘却防止メモも有用と考えられる。付箋やセロテープ等でパソコン画面の横や上の縁部分に留めたこれらは、１週間や１ヶ月のうちに取れてしまうこともあるが、針金の表示なら、視認性・認識性、またセロテープ等の粘着物が長時間貼ってあったことによる汚れ、またパソコン等がリース製品であってリース期間が切れて業者に返却する場合の画面にセロテープを長時間貼ってあったことによる汚れを清掃する手間も発生しない。通常の職場勤務者が出会う職場上乃至家庭上の注意喚起や忘却防止等を要する事項を、通常職場で対面する時間の最も多いパソコン画面だけでなく、節電やトラッキング火災防止の為に待機電源を切ることに注意を要する家電製品や、入浴時にタオルを入れない等といったうっかりミスを防ぐ使用上の注意を要する事、余震多し注意といった自然災害等生命を脅かす恐れのある事を、ある程度類型化し注意喚起の表示にすれば、有用と考えられる。
【００１８】  良くある注意喚起として上記だけでなく、「避難訓練」「戸締り」「施錠」「消灯」「照明を消せ」「電源を切れ」「トラッキング火災注意」等職場安全関係、「余震注意」「地震時避難」「津波、高台へ」等自然災、パソコン画面だけでなく生活上「節電」を要する待機電源を控えるべき他電気製品、地上デジタルテレビの電源ＯＦＦ時の画面や電子レンジ、冷蔵庫等の扉部分等フックにて引っ掛けることが可能な部分で有用と考えられる。電気製品の注意喚起だけでなく、例えば風呂場では、湯船の色は白なら針金は黒に、木製なら針金は白に対比色として、「タオルを入れるな」「タオルご遠慮下さい」洗面所なら「水をたらすな」「手を拭け」「節水」「蛇口をしっかりひねろ」、お手洗いでなら「トイレットペーパーを節約しろ」「節水」、台所なら「水をたらすな」「皿を乾かせ」「節水」「蛇口をしっかりひねろ」等耐水・耐湿性のある針金表示も可能であり、場所を選ばず有用と考えられる。また、フックも、単に単純な釣り針式のフック部だけでなく、地上デジタルテレビのモニター画面部の裏側のように、溝にあわせた波型のフック部が有効であることがあり、水道の蛇口なら２点吊りでなく１点吊りのフックと表示が考えられる。引っ掛けるものによって臨機応変にフック部を修正できるのも、針金が有利である点のひとつと考えられる。
【発明の効果】
【００１９】  これら注意喚起事項も、職場や家庭等に共通する典型的な事項を用意し、パソコン等をセロテープ等の貼り跡で汚すことなく、付箋のように取れて滅失することなく、注意喚起し忘却防止・失念防止するとこが可能となった。
【図面の簡単な説明】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の正面図である。
【図１２】本発明の正面図である。
【図１３】本発明の正面図である。
【図１４】本発明の断面図である。
【図１５】本発明の断面図である。
【図１６】本発明の断見図である。
【図１７】本発明の斜見図である。
【図１８】本発明の斜見図である。
【図１９】本発明の斜見図である。
【図２０】本発明の斜見図である。
【図２１】本発明の斜見図である。
【図２２】本発明の斜見図である。
【図２３】本発明の斜見図である。
【図２４】本発明の斜見図である。
【図２５】本発明の正面図である。
【図２６】本発明の斜見図である。
【発明を実施するための形態】
本発明を実施するための形態を説明する。
【符号の簡単な説明】
１  注意喚起等表示フック部
２  注意喚起等表示部
３  ゴム管
４  図柄
５  絵文字
６  ノート型パソコン本体
７  デスク型パソコン本体
８  湯船
９  トイレ貯水槽
１０  食器棚
１１  蛇口
１２  台所シンク
１３  携帯電話
１４  黒板
【図１】
2014182363.tif 000003
【図２】
2014182363.tif 000004
【図３】
2014182363.tif 000005
【図４】
2014182363.tif 000006
【図５】
2014182363.tif 000007
【図６】
2014182363.tif 000008
【図７】
2014182363.tif 000009
【図８】
2014182363.tif 000010
【図９】
2014182363.tif 000011
【図１０】
2014182363.tif 000012
【図１１】
2014182363.tif 000013
【図１２】
2014182363.tif 000014
【図１３】
2014182363.tif 000015
【図１４】
2014182363.tif 000016
【図１５】
2014182363.tif 000017
【図１６】
2014182363.tif 000018
【図１７】
2014182363.tif 000019
【図１８】
2014182363.tif 000020
【図１９】
2014182363.tif 000021
【図２０】
2014182363.tif 000022
【図２１】
2014182363.tif 000023
【図２２】
2014182363.tif 000024
【図２３】
2014182363.tif 000025
【図２４】
2014182363.tif 000026
【図２５】
2014182363.tif 000027
【図２６】
2014182363.tif 000028